(57)【要約】【課題】遮蔽物の影響を考慮した携帯機の位置判定精度を向上させる車輌用通信システム、車載機、携帯機及びコンピュータプログラムを提供する。【解決手段】車輌の異なる位置に設けられた複数のアンテナにより信号を送受信する車載機と、前記複数のアンテナから送信された信号を受信し、受信した信号の受信強度を測定する測定部を備える携帯機とを含み、該携帯機にて測定された受信強度に基づいて前記携帯機の位置を特定する特定部を前記車載機又は携帯機が有する車輌用通信システムであって、前記複数のアンテナから前記携帯機にて受信した複数の信号夫々の受信強度から受信状況の良／不良を判別する受信状況判別部を備える。【選択図】図４
2018056655.tif 000002
【特許請求の範囲】
【請求項１】
車輌の異なる位置に設けられた複数のアンテナにより信号を送受信する車載機と、前記複数のアンテナから送信された信号を受信し、受信した信号の受信強度を測定する測定部を備える携帯機とを含み、該携帯機にて測定された受信強度に基づいて前記携帯機の位置を特定する特定部を前記車載機又は携帯機が有する車輌用通信システムであって、
前記複数のアンテナから前記携帯機にて受信した複数の信号夫々の受信強度から受信状況の良／不良を判別する受信状況判別部を備える
ことを特徴とする車輌用通信システム。
【請求項２】
前記受信状況判別部は、複数のアンテナから受信された信号の受信強度を変数とする判定式に基づいて受信状況の良／不良を判別する
ことを特徴とする請求項１に記載の車輌用通信システム。
【請求項３】
前記受信状況判別部は、受信強度の組み合わせに基づき受信状況の良／不良を判別する
ことを特徴とする請求項１に記載の車輌用通信システム。
【請求項４】
受信状況の不良箇所を推定する推定部を更に備える
ことを特徴とする請求項１から３のいずれか１つに記載の車輌用通信システム。
【請求項５】
前記受信状況判別部により判別された受信状況に応じて、前記複数のアンテナから送信された複数の信号夫々の受信強度の内、前記判定部が判定に使用する受信強度を選択する選択部を更に備える
ことを特徴とする請求項１から４のいずれか１つに記載の車輌用通信システム。
【請求項６】
車輌の異なる位置に設けられた複数のアンテナにより他の機器宛てに信号を送信する送信部と、前記複数のアンテナからの信号の受信強度を前記他の機器にて測定した結果を受信する受信部と、該受信部にて受信した測定結果に基づいて前記他の機器の位置を特定する特定部とを備える車載機において、
前記複数のアンテナから前記他の機器にて測定された複数の信号夫々の受信強度から受信状況の良／不良を判別する受信状況判別部を更に備える
を特徴とする車載機。
【請求項７】
車輌の異なる位置に設けられた複数のアンテナから送信された信号を受信する受信部と、受信した信号の受信強度を測定する測定部と、該測定部により測定された結果に基づいて自機の位置を特定する特定部とを備える携帯機であって、
前記複数のアンテナ夫々から送信された複数の信号の受信強度から受信状況の良／不良を判別する受信状況判別部を更に備える
を特徴とする携帯機。
【請求項８】
車輌の異なる位置に設けられた複数のアンテナを用いた信号の送受信部を有するコンピュータに、前記車輌に対応する携帯機の位置を特定させるコンピュータプログラムであって、
前記コンピュータに、
前記複数のアンテナからの信号の受信強度を測定した結果を取得する処理、
前記取得した受信強度に基づく受信状況の良／不良を判別する処理、
判別された受信状況に応じて、前記複数のアンテナから送信された複数の信号夫々の受信強度の内、判定に用いる受信強度を選択する処理、及び
選択された受信強度を用いて前記携帯機の位置を特定する処理
を実行させることを特徴とするコンピュータプログラム。
【発明の詳細な説明】
【技術分野】
【０００１】
本発明は、車輌用通信システム、車載機、携帯機、及びコンピュータプログラムに関する。
【背景技術】
【０００２】
携帯機を所持した使用者が車輌に近づくか、ドアハンドルに触れる若しくはボタンを押すことのみで車輌ドアの開錠／施錠を行うスマートエントリー（登録商標）システムが実用化されている。更にはメカニカルキー（イグニッションキー）を用いることなしに、車輌のエンジン又は駆動用バッテリシステムを始動させることを可能とするスタートシステムも実用化されている。このようなシステムでは、車輌に対応する正規の携帯機が車室内に存在するか否かを判定する車室内外判定処理を行ない、携帯機が車輌外に存在する場合にはエンジンをスタートさせず、携帯機が車室内に存在する場合には施錠を行なわない等の制御がなされる。車室内外判定処理においては、携帯機と車載機との間で電波を送受信し合いその受信強度を利用するが、携帯機若しくは車載機側のアンテナに金属物が近接している場合には受信強度を正確に測定できない。特許文献１には、携帯機が車室内で金属物に遮蔽されている場合に車室外に存在すると誤判定することを防止する通信システムが開示されている。特許文献１では、車室内に存在しているにも拘わらず携帯機が金属物に覆われているために受信強度を弱めに検出してしまった場合でも、受信強度にオフセットを加算することによって車室外と判定されることを回避することとしている。
【先行技術文献】
【特許文献】
【０００３】
【特許文献１】特開２０１５−１８３４１２号公報
【発明の概要】
【発明が解決しようとする課題】
【０００４】
しかしながら、携帯機と車載アンテナとの間で相互に送受信し合う電波について一方において検出された受信強度の弱まりは、携帯機側で金属物の影響を受けているのか、車載アンテナ側で金属物の影響を受けているかにはよらない。特許文献１に開示されているシステムでは、携帯機が車室内で金属物に遮蔽されている場合のみにおける検出を想定しており、その場合以外の状況における受信強度結果の異常があった場合のことは想定していない。そもそも特許文献１に開示されているオフセットの加算は、受信強度の異常の有無に関わらず行なわれることとした場合、本当は車室外に存在する場合であっても車室内に存在すると判定される可能性がある。
【０００５】
本発明は斯かる事情に鑑みてなされたものであり、遮蔽物の影響を考慮した携帯機の位置判定精度を向上させる車輌用通信システム、車載機、携帯機及びコンピュータプログラムを提供することを目的とする。
【課題を解決するための手段】
【０００６】
本発明の一態様に係る車輌用通信システムは、車輌の異なる位置に設けられた複数のアンテナにより信号を送受信する車載機と、前記複数のアンテナから送信された信号を受信し、受信した信号の受信強度を測定する測定部を備える携帯機とを含み、該携帯機にて測定された受信強度に基づいて前記携帯機の位置を特定する特定部を前記車載機又は携帯機が有する車輌用通信システムであって、前記複数のアンテナから前記携帯機にて受信した複数の信号夫々の受信強度から受信状況の良／不良を判別する受信状況判別部を備える。
【０００７】
本発明の一態様に係る車載機は、車輌の異なる位置に設けられた複数のアンテナにより他の機器宛てに信号を送信する送信部と、前記複数のアンテナからの信号の受信強度を前記他の機器にて測定した結果を受信する受信部と、該受信部にて受信した測定結果に基づいて前記他の機器の位置を特定する特定部とを備える車載機において、前記複数のアンテナから前記他の機器にて測定された複数の信号夫々の受信強度から受信状況の良／不良を判別する受信状況判別部を更に備える。
【０００８】
本発明の一態様に係る携帯機は、車輌の異なる位置に設けられた複数のアンテナから送信された信号を受信する受信部と、受信した信号の受信強度を測定する測定部と、該測定部により測定された結果に基づいて自機の位置を特定する特定部とを備える携帯機であって、前記複数のアンテナ夫々から送信された複数の信号の受信強度から受信状況の良／不良を判別する受信状況判別部を更に備える。
【０００９】
本発明の一態様に係るコンピュータプログラムは、車輌の異なる位置に設けられた複数のアンテナを用いた信号の送受信部を有するコンピュータに、前記車輌に対応する携帯機の位置を特定させるコンピュータプログラムであって、前記コンピュータに、前記複数のアンテナからの信号の受信強度を測定した結果を取得する処理、前記取得した受信強度に基づく受信状況の良／不良を判別する処理、判別された受信状況に応じて、前記複数のアンテナから送信された複数の信号夫々の受信強度の内、判定に用いる受信強度を選択する処理、及び選択された受信強度を用いて前記携帯機の位置を特定する処理を実行させる。
【００１０】
なお本願は、このような特徴的な各構成部を備えた各装置を含む車輌用通信システムとして実現することができるだけでなく、かかる特徴的なステップを含む車輌用通信方法として実現することができる。また、車輌用通信システムに含まれる車載機又は携帯機の構成部の一部又は全部を実現する半導体集積回路として実現したり、車輌用通信システムを用いたその他のシステムとして実現したりすることができる。
【発明の効果】
【００１１】
上記によれば、遮蔽物の影響を考慮した携帯機の位置判定を行ない、その精度を向上させることが可能である。
【図面の簡単な説明】
【００１２】
【図１】実施の形態１における車輌用通信システムの構成部の配置を示す模式図である。
【図２】実施の形態１における車輌用通信システムの構成を示すブロック図である。
【図３】受信状況の判別用条件式の内容例を示す説明図である。
【図４】制御部による携帯機との通信処理手順の一例を示すフローチャートである。
【図５】判別用の情報の内容例を示す説明図である。
【図６】実施の形態２における受信状況判別の処理手順の一例を示すフローチャートである。
【図７】実施の形態３における車輌用通信システムの構成を示すブロック図である。
【図８】実施の形態３における制御部による携帯機との通信処理手順の一例を示すフローチャートである。
【図９】実施の形態３における制御部による携帯機との通信処理手順の一例を示すフローチャートである。
【図１０】ディスプレイにおける表示内容例を示す説明図である。
【発明を実施するための形態】
【００１３】
［本発明の実施形態の説明］
最初に本発明の実施態様を列記して説明する。また、以下に記載する実施形態の少なくとも一部を任意に組み合わせてもよい。
【００１４】
（１）本発明の一態様に係る車輌用通信システムは、車輌の異なる位置に設けられた複数のアンテナにより信号を送受信する車載機と、前記複数のアンテナから送信された信号を受信し、受信した信号の受信強度を測定する測定部を備える携帯機とを含み、該携帯機にて測定された受信強度に基づいて前記携帯機の位置を特定する特定部を前記車載機又は携帯機が有する車輌用通信システムであって、前記複数のアンテナから前記携帯機にて受信した複数の信号夫々の受信強度から受信状況の良／不良を判別する受信状況判別部を備える。
【００１５】
本発明の一態様にあっては、送信アンテナの周囲に金属体が近接しているなど、アンテナの共振周波数が影響を受けて携帯機における信号の受信状況が不良となっている疑いがあるか否かを判断してから、携帯機での受信強度に基づく所在の判定が可能になり、誤判定を防止することができる。
【００１６】
（２）本発明の一態様に係る車輌用通信システムは、前記受信状況判別部は、複数のアンテナから受信された信号の受信強度を変数とする判定式に基づいて受信状況の良／不良を判別する。
【００１７】
本発明の一態様にあっては、条件式に基づき受信状況の良／不良が判別される。簡易な条件式を用いて迅速に判別が可能になる。
【００１８】
（３）本発明の一態様に係る車輌用通信システムは、前記受信状況判別部は、受信強度の組み合わせに基づき受信状況の良／不良を判別する。
【００１９】
本発明の一態様にあっては、受信強度の組み合わせの照合に基づき受信状況の良／不良が判別される。多様な良／不良のパターンに基づき判別して多様な状況に応じて判別することが可能になる。
【００２０】
（４）本発明の一態様に係る車輌用通信システムは、受信状況の不良箇所を推定する推定部を更に備える。
【００２１】
本発明の一態様にあっては、不良箇所の推定が行なわれるため、推定に基づく受信強度の補正、又は要因除去の出力が可能になる。これにより携帯機の所在判定精度が維持される。
【００２２】
（５）本発明の一態様に係る車輌用通信システムは、前記受信状況判別部により判別された受信状況に応じて、前記複数のアンテナから送信された複数の信号夫々の受信強度の内、前記判定部が判定に使用する受信強度を選択する選択部を更に備える。
【００２３】
本発明の一態様にあっては、受信状況不良に対応する受信強度を除く残りの受信強度全て、又はその内の適切な組み合わせを選択することにより、誤判定を防止し、所在判定の精度が維持される。
【００２４】
（６）本発明の一態様に係る車載機は、車輌の異なる位置に設けられた複数のアンテナにより他の機器宛てに信号を送信する送信部と、前記複数のアンテナからの信号の受信強度を前記他の機器にて測定した結果を受信する受信部と、該受信部にて受信した測定結果に基づいて前記他の機器の位置を特定する特定部とを備える車載機において、前記複数のアンテナから前記他の機器にて測定された複数の信号夫々の受信強度から受信状況の良／不良を判別する受信状況判別部を更に備える。
【００２５】
本発明の一態様にあっては上述の態様（１）同様に、送信アンテナの周囲に金属体が近接しているなど、受信状況が不良となっている疑いがあるか否かを判断してから、携帯機での受信強度に基づく所在の判定が可能になり、誤判定を防止することができる。
【００２６】
（７）本発明に一態様に係る携帯機は、車輌の異なる位置に設けられた複数のアンテナから送信された信号を受信する受信部と、受信した信号の受信強度を測定する測定部と、該測定部により測定された結果に基づいて自機の位置を特定する特定部とを備える携帯機であって、前記複数のアンテナ夫々から送信された複数の信号の受信強度から受信状況の良／不良を判別する受信状況判別部を更に備える。
【００２７】
本発明の一態様にあっては上述の態様（１）同様に、送信アンテナの周囲に金属体が近接しているなど、アンテナの共振周波数が影響を受けて携帯機における信号の受信状況が不良となっている疑いがあるか否かを判断してから、携帯機での受信強度に基づく所在の判定が可能になり、誤判定を防止することができる。
【００２８】
（８）本発明の一態様に係るコンピュータプログラムは、車輌の異なる位置に設けられた複数のアンテナを用いた信号の送受信部を有するコンピュータに、前記車輌に対応する携帯機の位置を特定させるコンピュータプログラムであって、前記コンピュータに、前記複数のアンテナからの信号の受信強度を測定した結果を取得する処理、前記取得した受信強度に基づく受信状況の良／不良を判別する処理、判別された受信状況に応じて、前記複数のアンテナから送信された複数の信号夫々の受信強度の内、判定に用いる受信強度を選択する処理、及び選択された受信強度を用いて前記携帯機の位置を特定する処理を実行させる。
【００２９】
本発明の一態様にあっては上述の態様（１）同様に、送信アンテナの周囲に金属体が近接しているなど、アンテナの共振周波数が影響を受けて携帯機における信号の受信状況が不良となっている疑いがあるか否かを判断してから、携帯機での受信強度に基づく所在の判定が可能になり、誤判定を防止することができる。
【００３０】
［本発明の実施形態の詳細］
本発明の実施形態に係る車輌用通信システムの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００３１】
（実施の形態１）
図１は、実施の形態１における車輌用通信システム１００の構成部の配置を示す模式図であり、図２は、実施の形態１における車輌用通信システム１００の構成を示すブロック図である。実施の形態１における車輌用通信システム１００は、車輌Ｖに搭載される車載機１と、車輌Ｖの使用者が携帯所持する携帯機２と、車輌Ｖに設けられた複数の送信アンテナ３１，３２，３３，３４，３５及び受信アンテナ４とを備える。
【００３２】
送信アンテナ３１，３２，３３，３４，３５は、携帯機２に向けて無線信号を送信するアンテナである。送信アンテナ３１，３２，３３，３４，３５から送信される信号の搬送波の周波数帯域は例えばＬＦ（Low Frequency ）帯（例えば１２５ｋＨｚ）を用いる。
【００３３】
送信アンテナ３１，３２，３３，３４，３５は車輌Ｖの異なる位置に設けられている。例えば図１に示すように、送信アンテナ３１は運転席外側のドアノブ付近に、送信アンテナ３２は助手席外側のドアノブ付近に設けられている。また送信アンテナ３３は例えば、車輌Ｖ前部のインストルメントパネル内に設けられている。送信アンテナ３４は車室内の中央部、例えば、後部座席の前方であって運転席及び助手席の間に設けられているセンターコンソールの後部床面に設けられている。送信アンテナ３５は車輌の後部例えば、車室内における後部座席よりも後方、荷室内に設けられている。送信アンテナ３５は車外リアウィンドウの外側に設けられていてもよい。設置位置はいずれも例示であるからこれらに限られないことは勿論である。
【００３４】
受信アンテナ４は、例えば車輌Ｖのルーフの内張り内に設けられている。受信アンテナ４は、携帯機２の送信アンテナから送信される信号を受信する。受信する搬送波の周波数帯域は、ＲＦ（Radio Frequency ）帯（例えば３００ＭＨｚ、ＵＨＦ帯）である。
【００３５】
車載機１は、携帯機２との間で送受信される無線信号に基づき、車輌Ｖのドアロックの施錠／開錠の制御、及び車内外灯器類等、ボディ系のアクチュエータの制御を統合的に行なう所謂ＢＣＭ（Body Control Module ）ユニットである。エンジン若しくは駆動用バッテリシステムの始動を指示する機能を有していてもよい。車載機１は制御部１０、記憶部１１、送信部１２、及び受信部１３を備える。
【００３６】
制御部１０は例えば、１若しくは複数のＣＰＵ（Central Processing Unit）又はマルチコアＣＰＵを用い、ＲＯＭ（Read Only Memory）、ＲＡＭ（Random Access Memory）、入出力インタフェース、タイマ等を有するマイクロコントローラである。制御部１０は、記憶部１１に記憶してある制御プログラム１Ｐに基づき、各構成部を制御する。なお制御プログラム１Ｐは制御部１０の内蔵ＲＯＭに記憶してあってもよい。
【００３７】
記憶部１１は、フラッシュメモリ等の不揮発性メモリを用いる。記憶部１１には、制御部１０が参照する各種情報が記憶されているほか、上述の制御プログラム１Ｐが記憶されている。記憶部１１に記憶されている制御プログラム１Ｐは、コンピュータが読み取り可能な記録媒体５に記録されている態様でもよい。記憶部１１は、図示しない読出装置によって記録媒体５から読み出された制御プログラム５Ｐを記憶する。記録媒体５はＣＤ（Compact Disc）−ＲＯＭ、ＤＶＤ（Digital Versatile Disc）−ＲＯＭ、ＢＤ（Blu-ray （登録商標） Disc ）等の光ディスク、フレキシブルディスク、ハードディスク等の磁気ディスク、磁気光ディスク、半導体メモリ等である。また、図示しない通信網に接続されている図示しない外部コンピュータから実施の形態１に係る制御プログラム５Ｐをダウンロードし、記憶部１１に記憶させてもよい。
【００３８】
送信部１３は、送信アンテナ３１〜３５と接続されており、該送信アンテナ３１〜３５にて送信する信号を変調する変調器を含む送信モジュールを用いる。なお送信部１３は内部に切替器１３ａを有し、該切替器ａによって複数の送信アンテナ３１〜３５の内のいずれか一部又は全部を選択して使用することが可能である。また送信部１３は、送信アンテナ３１〜３５における開放、短絡による故障を検出する故障検出部１３ｂを内蔵していてもよい。
【００３９】
受信部１４は、受信アンテナ４と接続されており、該受信アンテナ４にて受信した電波に対する増幅器、フィルター回路、及び復調器を含む受信回路を用いる。
【００４０】
携帯機２は、所謂ＦＯＢ型の電子キーであり、車輌ドアの開錠／施錠のための無線信号を送受信する機能を有する。携帯機２は、制御部２０、送信部２１、受信部２２、信号強度測定部２３、及び記憶部２４を備える。
【００４１】
制御部２０は、例えば１若しくは複数のＣＰＵ又はマルチコアＣＰＵを用い、ＲＯＭ、ＲＡＭ、入出力インタフェース、タイマ等を有するマイクロコントローラである。制御部２０のＣＰＵは入出力インタフェースを介して送信部２１、受信部２２、及び記憶部２４に接続されている。
【００４２】
記憶部２４は、フラッシュメモリ等の不揮発性メモリである。記憶部２４は、制御部２０が携帯機２の各構成部の動作を制御する受信強度の測定のための処理を実行させる制御プログラム２Ｐを記憶している。また、記憶部２４は、携帯機２自身を識別するための携帯機識別子、対応する車輌Ｖの車輌識別子、及び、認証用の固有鍵を記憶している。なお、図２では制御部２０及び記憶部２４を夫々別体の構成部として図示しているが、制御部２０の内部に記憶部２４を備える構成としてもよく、制御プログラム２Ｐは制御部２０の内蔵記憶部に記憶されていてもよい。
【００４３】
受信部２２は、制御部２０の制御に従って、アンテナ２２ａにて受信した複数の無線信号から搬送波の成分を除去して受信信号を抽出し、抽出した受信信号を制御部２０へ出力する。アンテナ２２ａは３軸アンテナを用いる。そして実施の形態１では、アンテナ２２ａが受信する無線信号の搬送波の周波数帯としてＬＦ帯を使用する。アンテナ２２ａで受信する搬送波の周波数帯は、車載機１側の送信アンテナ３１〜３５と対応するのであればこの周波数帯に限定されない。
【００４４】
信号強度測定部２３は、アンテナ２２ａを通じて３軸夫々で受信する無線信号を切替部２２ｂで切り替え、３軸成分について各々受信強度を測定し、制御部２０へ出力する。制御部２０は、３軸成分夫々の測定結果からベクトル演算を行って１つの無線信号の受信強度を算出する。これにより制御部２０は、車輌Ｖに対する携帯機２の向き又は姿勢によらずに、車輌Ｖの送信アンテナ３１〜３５からの受信強度を得ることが可能である。以下では特に断らない限り、ベクトル演算によって算出された受信強度を受信強度と呼んで用いる。なお、実施の形態１では制御部２０が受信強度を算出する構成としたが、携帯機２がベクトル演算前の前記３つの無線信号の受信強度を車載機１へ各送信し、車載機１の制御部１０にて受信強度を算出するようにしてもよい。
【００４５】
送信部２１は、制御部２０により入力される信号を、搬送波を用いて変調し、送信アンテナ２１ａを通じて無線信号を送信する回路である。実施の形態１では、送信アンテナ２１ａから送信する信号の搬送波の周波数帯としてＲＦ帯を使用する。しかしながら送信アンテナ２１ａで使用する周波数帯は、車輌Ｖ側の受信アンテナ４と対応するのであればこの周波数帯に限定されない。
【００４６】
このように構成される車載機１及び携帯機２の間で送受信される無線信号に基づき、車載機１は、携帯機２の所在（車室内外、車両からの距離等）を判定する。ただし実施の形態１の車輌用通信システム１００では、送信アンテナ３１〜３５からの無線信号の受信状況を判別し、その状況に応じて適した方法で所在の判定を行なうようにしてある。なお以下では、携帯機２側で測定した受信強度を車載機１へ送信し、車載機１側で受信状況の判別を制御部１０にて行ない、その後制御部１０にて携帯機２の所在の判定を行なうこととして説明する。しかしながら携帯機２側で状況判別を行ない、その後所在の判定を行なう車載機１側へ判別結果を送信するようにしてもよいし、状況判別及び所在の判定のいずれも携帯機２側で行なうようにしてもよい。
【００４７】
図３は、受信状況の判別用条件式の内容例を示す説明図である。実施の形態１において判別用条件式は、車載機１の記憶部１１に予め記憶してある。送信アンテナ３１〜３５から信号の携帯機２における受信状況の不良は主に、送信アンテナ３１〜３５又は携帯機２の受信用のアンテナ２２ａの周辺に金属体が近接して存在していることによるアンテナの共振周波数のずれの発生である。アンテナ２２ａは所定の周波数（例えば１２５ｋＨｚの搬送波のみを受信するようにしてあるところ、送信アンテナ３１〜３５自体の故障は発生していないにもかかわらず周波数のずれによってアンテナ２２ａでの受信強度が弱まる。そこで車載機１の制御部１０は、図３に示すような判別用条件式を参照して、各送信アンテナ３１〜３５から発せられた信号に対する受信強度の測定結果から受信状況を判別する。なお図３においては送信アンテナ３１から発せられた信号の受信強度は「ａ」、送信アンテナ３２から発せられた信号の受信強度は「ｂ」、送信アンテナ３３から発せられた信号の受信強度は「ｃ」、送信アンテナ３４から発せられた信号の受信強度は「ｄ」、送信アンテナ３５から発せられた信号の受信強度は「ｅ」と各々代数で表す。また、条件式で用いる受信強度の基準値Ｌ１〜Ｌ５を強度レベル（微弱〜強烈）に応じて共に記憶してある。
【００４８】
図３の例では、第１の条件式として受信強度ｅが強度Ｌ５よりも大きく（又は強度Ｌ５以上）、且つ受信強度ｄが強度Ｌ１未満（又は強度Ｌ１以下）という条件式を挙げている。強度Ｌ５は携帯機２が送信アンテナ３１〜３５にかなり接近している場合の受信強度に対応する。つまり第１の条件式は、携帯機２が送信アンテナ３５にかなり接近した位置で受信したことが予測されるほどに受信強度が大きい場合には、中央に位置する送信アンテナ３４からの信号の受信強度ｄもそれほど小さくないはずであるにも拘わらず、微弱であるという状況に対応する。この場合、何か金属製等の遮蔽物の影響を大きく受けた異常値となっているのは受信強度ｄであると推定される。このように第１の条件式に対応付けて異常と推定される受信強度（又は送信アンテナ３１〜３５の識別情報）が記憶されているとよい。
【００４９】
第２の条件式は受信強度ｃが強度Ｌ５よりも大きく（又は強度Ｌ５以上）、且つ受信強度ｄが強度Ｌ１未満（又は強度Ｌ１以下）という条件式である。第２の条件式は第１の条件式と対称的であって、携帯機２が送信アンテナ３３にかなり接近した位置で受信したことが予測されるほどに受信強度が大きい場合には、中央に位置する送信アンテナ３４からの信号の受信強度ｄもそれほど小さくないはずであるにも拘わらず、微弱であるという状況に対応する。この場合、何か金属製等の遮蔽物の影響を大きく受けた異常値となっているのは受信強度ｃであると推定される。
【００５０】
第３の条件式は、受信強度ｃが受信強度ｄよりも大きく、且つ受信強度ｅも受信強度ｄよりも大きいという条件式である。前方の送信アンテナ３３からの信号の受信強度ｃが、中央に位置する送信アンテナ３４からの信号の受信強度ｄよりも大きい場合、携帯機２は中央よりも前方側に存在するはずである。この場合、後方に設置された送信アンテナ３５〜の受信強度ｅは、受信強度ｄ以下であるはずにも拘わらず、中央の送信アンテナ３４からの信号の受信強度ｄよりも大きいときには、受信強度ｄが異常値であると推定される。逆に言えば、後方の送信アンテナ３５からの信号の受信強度ｅが、中央に位置する送信アンテナ３４からの信号の受信強度ｄよりも大きい場合、前方の送信アンテナ３３からの信号の受信強度ｃは受信強度ｄよりも更に小さいはずであるにも拘らず、受信強度ｄよりも大きいときには何らかの受信状況の異常が推定され、受信強度ｄが異常値であると推定される。
【００５１】
第４の条件式は、受信強度ｄが強度Ｌ４よりも大きく（又は強度Ｌ４以上）、且つ受信強度ｃ及び受信強度ｅの両者が強度Ｌ１未満（又は強度Ｌ１以下）であるという条件式である。中央の送信アンテナ３４からの信号強度ｄが、携帯機２が車室の中央付近に存在することが推測される程度に強い場合、前方の送信アンテナ３３からの信号の受信強度ｃ、若しくは後方の送信アンテナ３５からの信号の受信強度ｅのいずれかは微弱に対応する強度Ｌ１以上となるはずである。しかしながら受信強度ｃ及び受信強度ｅのいずれも強度Ｌ１未満である場合には、受信強度ｃ又は受信強度ｅのどちらかが疑わしい値であることが推定される。
【００５２】
第５の条件式は、受信強度ａ又は受信強度ｂが強度Ｌ４よりも大きく（又は強度Ｌ４以上）、且つ受信強度ｃ，ｄ，ｅのいずれも強度Ｌ１未満（又は強度Ｌ１以下）の微弱であるという条件式である。運転席ドアにドアノブに設けられている送信アンテナ３１からの信号の受信強度ａ、又は助手席ドアのドアノブに設けられた送信アンテナ３２からの信号の受信強度ｂが、携帯機２がいずれかのドアノブの付近に存在すると推測される程度に強い場合、車室内の送信アンテナ３３〜３５からの受信強度ｃ，ｄ，ｅのいずれか少なくとも１つは強度Ｌ１以上となるはずである。このとき、受信強度ｃ，ｄ，ｅのいずれも強度Ｌ１未満である場合、全ての送信アンテナ３１〜３５からの信号の受信強度ａ〜ｅが全体的に弱まっており、携帯機２が金属物（金属製の缶、ポーチ、バッグ等）に覆われているなど、正確に信号受信強度を測定できない状況であることが推定される。
【００５３】
条件式は第１〜第５の条件式に限られないことは勿論であり、金属物等のアンテナの共振周波数のずれを起こす可能性がある物が一時的に存在する可能性がある場所を想定し、良／不良を判別することを可能とする多様な条件式が設定されるとよい。このように条件式を参照して制御部１０は、受信状況を判別することが可能である。
【００５４】
図４は、制御部１０による携帯機２との通信処理手順の一例を示すフローチャートである。制御部１０は図４のフローチャートに示す処理手順を定期的に実行する。
【００５５】
制御部１０はまず第１に、送信アンテナ３１〜３５の内のいずれか、例えば中央に設置されている送信アンテナ３４から、記憶部１１に記憶してある自身の車両識別子の情報を含むウェイクアップ信号を送信する（ステップＳ１０１）。制御部１０は、送信したウェイクアップ信号に応じたレスポンス信号を受信アンテナ４により受信したか否かを判断する（ステップＳ１０２）。ステップＳ１０２において制御部１０は、レスポンス信号を受信する所定の猶予時間を設け、猶予時間が経過するまでにレスポンス信号を受信できなかった場合は、受信しなかったと判断する。
【００５６】
ステップＳ１０２において受信したと判断された場合（Ｓ１０２：ＹＥＳ）、制御部１０は、レスポンス信号に含まれている携帯機識別子の情報を抽出し、記憶部１１に記憶してある携帯機識別子と合致するか否かにより、携帯機２が正当であるか否かを判断する（ステップＳ１０３）。ステップＳ１０３で正当であると判断された場合（Ｓ１０３：ＹＥＳ）、制御部１０はチャレンジ・レスポンス認証用のデータを作成して、作成したデータを含むチャレンジ信号を送信アンテナ３１〜３５から送信し（ステップＳ１０４）、チャレンジ信号に対するレスポンス信号を受信したか否かを判断する（ステップＳ１０５）。
【００５７】
ステップＳ１０５にてレスポンス信号を受信したと判断された場合（Ｓ１０５：ＹＥＳ）、制御部１０は受信したレスポンス信号からレスポンスデータを抽出し、抽出したレスポンスデータに基づき、携帯機２の認証に成功したか否かを判断する（ステップＳ１０６）。
【００５８】
ステップＳ１０６において認証に成功したと判断された場合（Ｓ１０６：ＹＥＳ）、制御部１０は、携帯機２における受信強度の測定を指示する前に、まず故障検出部１３ｂによって送信アンテナ３１〜３５の内の故障アンテナを特定する（ステップＳ１０７）。制御部１０は故障アンテナを除く残りのアンテナを用いて、測定コマンド信号を送信する（ステップＳ１０８）。このとき制御部１０は、用いる送信アンテナ３１〜３５を携帯機２に通知する情報を測定コマンド信号に含めて送信してもよい。制御部１０は、コマンド信号の送信後から所定時間が経過するまでの間に、送信アンテナ３１〜３５の内、故障アンテナとして特定されたアンテナ以外のアンテナを順次、切替器１３ａにより選択し、選択した送信アンテナ３１〜３５から測定用信号を送信させる（ステップＳ１０９）。
【００５９】
次に制御部１０は、測定用信号の送信後に、測定結果を含む測定結果信号を受信アンテナ４により受信する（ステップＳ１１０）。制御部１０は、受信した測定結果信号から測定結果を抽出する（ステップＳ１１１）。このとき抽出される測定結果は、制御部１０が送信アンテナ３１〜３５から送信した測定用信号夫々の受信強度ａ〜ｅを含む（故障アンテナからの信号の受信強度は含まれなくてよい）。
【００６０】
制御部１０は、抽出された測定結果に基づき、記憶部１１に記憶してある判別用条件式を参照して受信状況を判別し（ステップＳ１１２）、判別結果が状況良好であるか否かを判断する（ステップＳ１１３）。ステップＳ１１２における判別方法は、制御部１０が測定結果に含まれる受信強度ａ〜ｅについて図３の条件式に合致するか否かを順次判定することにより実現する。
【００６１】
ステップＳ１１３にて判別結果が状況良好と判断された場合（Ｓ１１３：ＹＥＳ）、制御部１０は抽出された測定結果に含まれる信号強度ａ〜ｅ（故障アンテナからの信号強度を除く）を用いて携帯機２の所在の判定を行なう（ステップＳ１１４）。ステップＳ１１４の判定は、受信強度ａ〜ｅを用いた三角法に基づく位置の特定でもよいし、受信強度ａ〜ｅを用いた判定式（受信強度ｄ＜Ｌ４且つ受信強度ｅ＜Ｌ４であれば車室内、等）に基づく車室内外の判定でもよいし、予め車室内外にて測定しておいた受信強度ａ〜ｅの統計値とのマハラノビス距離に基づく車室内外の判定であってもよい。更にはサポートベクターマシン等の学習工程を用いて車室内外を判定するようにしてもよい。ステップＳ１１４においては、故障アンテナが存在する場合、制御部１０はその故障アンテナを除く残りのアンテナからの信号の受信強度を用いる。又は、制御部１０は、故障アンテナの位置に応じて、残りのアンテナの内のいずれか適切な組み合わせを選択してそれらに対応する受信強度を用いる。
【００６２】
制御部１０は、ステップＳ１１４の判定結果に応じた処理を行ない（ステップＳ１１５）、処理を終了する。ステップＳ１１５における判定結果に応じた処理とは例えば、車輌Ｖが停車（エンジンＯＦＦ）中であって携帯機２が車室外へ出た場合には、ドアロックを施錠し、セキュリティ機能を起動させる等の処理である。又は、車輌Ｖが停車中（エンジンＯＦＦ）であって携帯機２が車輌Ｖの近くに存在する場合にはドアロックを開錠し、エンジンをスタートさせるなどの処理である。
【００６３】
ステップＳ１１３にて判別結果が状況良好でないと判断された場合（Ｓ１１３：ＮＯ）、制御部１０は、条件式に対応する異常値であると推測される受信強度を特定する（ステップＳ１１６）。ステップＳ１１６の特定は、ステップＳ１１３にて合致すると判定された条件式に対応付けて記憶してある受信強度ａ〜ｅのいずれか１つ又は複数を参照することで実現可能である。
【００６４】
そしてこの場合制御部１０は、残りの受信強度、又は残りの受信強度の内の適切な組み合わせに基づいて携帯機２の所在の判定を行なう（ステップＳ１１７）。ステップＳ１１７では例えば、受信強度ｄが異常値である可能性がある場合には、制御部１０は受信強度ｄを用いない判定式によって判定を行なうか、受信強度ｄに所定値を加算してから判定式に当てはめて判定を行なうなどする。なお加算する場合の所定値は、送信アンテナ３４に金属製の遮蔽物が近接している場合のアンテナ２２ａでの減衰分を予め算出しておくか、又は、測定しておき、その減衰分に基づく値を記憶部１１に記憶しておくとよい。また他の例として、受信強度全てが異常値である可能性がある場合には（携帯機２が遮蔽物に覆われている状況）、制御部１０は受信強度ａ〜ｅ全てに所定値を加算してから判定式に当てはめて判定を行なうなどする。そして制御部１０は、ステップＳ１１７の判定結果に応じた処理を行なうべく処理をステップＳ１１５へ進め、処理を終了する。
【００６５】
なおステップＳ１０２及びステップＳ１０５においてレスポンス信号を受信しなかったと判断された場合（Ｓ１０２：ＮＯ、Ｓ１０５：ＮＯ）、制御部１０は処理を終了する。ステップＳ１０３で正当でないと判断された場合（Ｓ１０３：ＮＯ）、更にステップＳ１０６において認証に失敗したと判断された場合（Ｓ１０６：ＮＯ）、制御部１０は処理をそのまま終了とする。
【００６６】
このように、受信状況が不良である疑いがあるか否かを判断してから、携帯機２での受信強度に基づく所在の判定が行なわれる。これにより、アンテナ自体は故障していなくとも、車室内外に金属製のものが存在することで受信強度が影響を受けている場合の誤判定が防止される。
【００６７】
（実施の形態２）
実施の形態２における車輌用通信システムの構成は、記憶部１１に記憶してある情報及びこれを用いた詳細な処理手順を除き、実施の形態１における構成と同一である。したがって以下の説明では、共通する構成に同一の符号を付して詳細な説明を省略する。
【００６８】
実施の形態２においては記憶部１１に、受信強度ａ〜ｅの典型的な組み合わせが状況良好時及び不良時夫々、判別用に記憶されてある。図５は、判別用の情報の内容例を示す説明図である。記憶部１１には、受信状況が良好（正常）である場合（遮蔽物が存在しない場合）の例えば４箇所夫々における受信強度ａ〜ｅの組み合わせ（ａ，ｂ，ｃ，ｄ，ｅ）が、その箇所を各識別する情報に対応付けて記憶されている。４箇所の例として図５では、車外の運転席ドアに近接した位置にある場合、助手席ドアに近接した位置にある場合、車内の前方座席にある場合、及び車内の後方座席（荷室）にある場合を挙げた。そして図５に示すように、各箇所においてアンテナ３１に遮蔽物が近接しており、受信強度ａが異常値である場合の受信強度ａ〜ｅの組み合わせ（ａ，ｂ，ｃ，ｄ，ｅ）が、箇所を識別する情報及び異常値がａである可能性が高いことを識別する情報と対応付けて記憶されている。これらの情報は実際に測定した値を使用してもよい。また、記憶部１１に記憶してある各組み合わせ（ａ，ｂ，ｃ，ｄ，ｅ）については、最大の受信強度が１．０となるように規準化されてあってもよい。
【００６９】
次に図５に示した例の情報を用いた受信状況の判別方法の例について説明する。図６は、実施の形態２における受信状況判別の処理手順の一例を示すフローチャートである。実施の形態２において制御部１０は、実施の形態１同様に携帯機２との通信処理を実行するが、ステップＳ１１２の受信状況の判別処理において、図６のフローチャートに示す処理手順を実行する。
【００７０】
制御部１０は、ステップＳ１１１で抽出された受信強度ａ〜ｅを（ａ，ｂ，ｃ，ｄ，ｅ）として、図５に示すように記憶してある各組み合わせ（パターン）と照合する（ステップＳ２１）。なおステップＳ２１の照合処理は、組み合わせ同士の差分をとるようにしてもよいし、抽出された受信強度ａ〜ｅの組み合わせと、記憶部１１の各組み合わせとの類似度を統計的に求めるなどの処理によって実現してもよい。
【００７１】
制御部１０は、照合結果から最も類似する組み合わせを決定し（ステップＳ２２）、決定した組み合わせに対応付けて記憶されている良好／不良の判別情報、携帯機２の位置（箇所）の識別情報、及び異常値の識別情報を特定する（ステップＳ２３）。制御部１０は、特定した判別情報から良好／不良を判定し（ステップＳ２４）、処理を終了する。この後、制御部１０は図４のフローチャートのステップＳ１１３へ処理を進める。
【００７２】
ステップＳ２３で特定した異常値の識別情報は、ステップＳ１１６の異常値の特定処理で用いるとよい。なお、ステップＳ２１〜Ｓ２３の処理により、最も類似する組み合わせに対応付けられている携帯機２の箇所の識別情報に基づき、携帯機２の所在の判定まで行ない、ステップＳ１１４及びＳ１１７の処理を省略することも可能である。
【００７３】
このように測定用信号の受信状況の判別は、実施の形態１の条件式による判定には限られない。組み合わせに基づく受信状況の判別処理により、室内外に金属製のものが存在することで受信強度が影響を受けている場合に誤判定を防止し、判定精度を維持することも可能になる。
【００７４】
実施の形態１及び２においては、受信強度の分布により受信状況を判別したが、受信強度の低下は、金属体が近接して存在していることによるアンテナの共振周波数のずれを起因として発生している。したがってこの共振周波数のずれを直接的に検知した結果を合わせて用い、受信状況を判別するようにしてもよい。アンテナの共振周波数のずれは例えば、車載機１側で送信アンテナ３１〜３５から送信する搬送周波数を可変できる回路と駆動電流をモニタリングすることができる回路とを備え、送信アンテナ３１〜３５における共振周波数がずれた場合に、これを検知する方法で実現が可能である。
【００７５】
（実施の形態３）
図７は、実施の形態３における車輌用通信システムの構成を示すブロック図である。実施の形態３における車輌用通信システムの構成は、車載機１に情報を出力する出力部１５及びこれを用いた詳細な処理手順を除き、実施の形態１における構成と同一である。したがって以下の説明では、共通する構成に同一の符号を付して詳細な説明を省略する。
【００７６】
実施の形態３において車載機１は、制御部１０、記憶部１１、送信部１３及び受信部１４の他に出力部１５を備える。出力部１５には、ディスプレイ５１及びスピーカ５２が接続されている。ディスプレイ５１及びスピーカ５２はいずれか一方のみであってもよい。出力部１５は制御部１０の制御により、ディスプレイ５１へ制御信号を出力し、及びスピーカ５２へ音声信号を出力する。
【００７７】
ディスプレイ５１は、インストルメントパネル上の速度計を含む計器類のパネル内に設けられた表示灯である。ＬＥＤ（Light Emitting Diode）を用いてもよい。ディスプレイ５１は、ナビゲーションシステム等で用いられるタッチパネルを内蔵したタイプであって、ＬＣＤ（Liquid Crystal Display）又は有機ＥＬ（Electro Luminescence）等の表示パネルを用いるものであってもよい。ディスプレイ５１は出力部１５から出力される信号に基づき、画像又は文字を表示する。
【００７８】
スピーカ５２は、出力部１５から出力される信号に基づき、音声又は効果音を発する。
【００７９】
出力部１５を用いる処理を実現すべく車載機１の記憶部１１には制御プログラム１３Ｐが記憶されている。制御プログラム１３Ｐは、図示しない読出装置によって記録媒体５から読み出された制御プログラム５３Ｐを記憶したものであってもよい。
【００８０】
図８及び図９は、実施の形態３における制御部１０による携帯機２との通信処理手順の一例を示すフローチャートである。制御部１０は図８及び図９のフローチャートに示す処理手順を定期的に実行する。なお図８及び図９のフローチャートに示す処理手順の内、実施の形態１における図４のフローチャートに示した処理手順と共通する手順については同一のステップ番号を付して詳細な説明を省略する。
【００８１】
実施の形態３においても制御部１０は、受信状況を判別し（Ｓ１１２）、Ｓ１１３にて判別結果が状況良好でないと判断された場合（Ｓ１１３：ＮＯ）、制御部は異常値であると推測される受信強度を特定する（Ｓ１１６）。Ｓ１１２の受信状況の判別方法は、実施の形態１〜３のいずれでもよい。そして制御部１０は、特定した受信強度に対応する不良個所の送信元のアンテナを送信アンテナ３１〜３５のいずれかから推定する（ステップＳ１４１）。ステップＳ１４１において例えば制御部１０は、受信強度ａが異常値であると推測される場合は送信アンテナ３１を特定する。制御部１０は、推定した不良箇所、即ち異常値に対応する送信アンテナ３１〜３５の内のいずれかを示す表示（又は音声出力）を行なうように出力部１５からディスプレイ５１へ制御信号を出力する（ステップＳ１４２）。そして制御部１０は処理をステップＳ１１７へ進める。ステップＳ１４２においては出力部１５からスピーカ５２へ向けて、スピーカ５２から警告音等が発せられるように音声信号を出力する。ステップＳ１４２では、異常値が推測される受信強度に対応する送信アンテナ３１〜３５がどの辺りかを特定できるような情報であれば、ディスプレイ５１及びスピーカ５２のいずれか一方であってよい。
【００８２】
図１０は、ディスプレイ５１における表示内容例を示す説明図である。図１０には車輌Ｖの模式図が表示されている。そして、図１０中に実線及び破線で示す放射状アイコン５１１にて、送信アンテナ３１〜３５に対応する箇所が点灯するなどによって異常と推測される箇所が識別可能に出力されている。
【００８３】
図１０に示すような出力をディスプレイ５１にて実現することにより、車輌Ｖの搭乗者は、携帯機２の所在判定に影響するような荷物（鉄板等）を載置していることを認識することができる。これにより、搭乗者が所在判定に影響するような荷物の場所を変更したりするなど、影響を低減させるための対処が可能であり、結果として携帯機２の所在の誤判定を防止し、判定精度を維持することが可能になる。
【００８４】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８５】
Ｖ  車輌
１  車載機
１０  制御部
１１  記憶部
１３  送信部
１３ａ  切替部
１３ｂ  故障検出部
１４  受信部
１５  出力部
３１，３２，３３，３４，３５  送信アンテナ
２  携帯機
２０  制御部
２１  送信部
２１ａ  アンテナ
２２  受信部
２２ａ  アンテナ
２２ｂ  切替部
２３  信号強度測定部
２４  記憶部
１Ｐ，１２Ｐ，１３Ｐ，５Ｐ，５２Ｐ，５３Ｐ，２Ｐ，２２Ｐ  制御プログラム
【図１】
2018056655.tif 000003
【図２】
2018056655.tif 000004
【図３】
2018056655.tif 000005
【図４】
2018056655.tif 000006
【図５】
2018056655.tif 000007
【図６】
2018056655.tif 000008
【図７】
2018056655.tif 000009
【図８】
2018056655.tif 000010
【図９】
2018056655.tif 000011
【図１０】
2018056655.tif 000012